(57)【要約】【課題】照射制御できるとともに光束の低下を少なくできる照明器具を提供する。【解決手段】照明器具１０は、光源１６と、光源１６を横向きに設置する器具本体１１とを備え、光源１６がＬＥＤ電球１６であり、器具本体１１が複数段に形成した反射板１４を有し、反射板１４の上段側は、ＬＥＤ電球１６からの光を下方へ反射する放物線形状に形成され、反射板１４の下段側は、ＬＥＤ電球１６からの光をＬＥＤ電球１６の背面側に反射する曲面に形成される。【選択図】図１
2012028124.tif 000002
【特許請求の範囲】
【請求項１】
光源と、
前記光源を横向きに設置する器具本体とを備え、
前記光源がＬＥＤ電球であり、
前記器具本体が複数段に形成した反射板を有し、
前記反射板の上段側は、前記ＬＥＤ電球からの光を下方へ反射する放物線形状に形成され、前記反射板の下段側は、前記ＬＥＤ電球からの光を前記ＬＥＤ電球の背面側に反射する曲面に形成される照明器具。
【請求項２】
請求項１に記載の照明器具において、
前記ＬＥＤ電球に透明なカバーが取り付けられる照明器具。
【発明の詳細な説明】
【技術分野】
【０００１】
本発明は、ＬＥＤ電球を光源として天井面に埋設されるダウンライト等に適用される照明器具に関する。
【背景技術】
【０００２】
従来より、器具本体内にＬＥＤ電球などの光源を配置した照明器具が知られている（例えば、特許文献１参照）。
【先行技術文献】
【特許文献】
【０００３】
【特許文献１】特開２００６−３１８９０６号公報（図１、請求項１）
【発明の概要】
【発明が解決しようとする課題】
【０００４】
前述した特許文献１に記載された照明器具は、ディフューザ部材を備え、ディフューザ部材により異なる透過特性の２つの領域を有することにより簡単に可変できる。
ところで、図７に示すように、光源とするＬＥＤ電球１０１を、器具本体１０２に取り付けた反射板１０３の内側に配置した照明器具１００が提案されている。このような従来の照明器具１００は、ＬＥＤ電球１０１が下方を開口させた器具本体１０２に対して横向きに設置されている。
【０００５】
しかし、このような従来の照明器具１００は、以下に記載する３つの課題を有する。
課題の１つ目は、ＬＥＤ電球１０１が器具本体１０２に対して横向きに設置されているために、ＬＥＤ電球１０１からの光の一部が遮光されてしまうことである。
課題の２つ目は、ＬＥＤ電球１０１が透明なカバーを装着した場合、カバーによって光が拡散されるために、光束が低くなってしまうことである。
課題の３つ目は、ＬＥＤ電球１０１が透明なカバーを装着した場合、反射板１０３に対する照射制御が困難であることである。
【０００６】
本発明は、前述した課題を解決するためになされたものであり、その目的は、照射制御できるとともに光束の低下を少なくできる照明器具を提供することにある。
【課題を解決するための手段】
【０００７】
本発明に係る照明器具は、光源と、光源を横向きに設置する器具本体とを備え、光源がＬＥＤ電球であり、器具本体が複数段に形成した反射板を有し、反射板の上段側は、ＬＥＤ電球からの光を下方へ反射する放物線形状に形成され、反射板の下段側は、ＬＥＤ電球からの光をＬＥＤ電球の背面側に反射する曲面に形成される。
【０００８】
本発明に係る照明器具は、ＬＥＤ電球に透明なカバーが取り付けられる。
【発明の効果】
【０００９】
本発明に係る照明器具によれば、照射制御できるとともに光束の低下を少なくできるという効果を奏する。
【図面の簡単な説明】
【００１０】
【図１】本発明に係る一実施形態の照明器具の一部破断側面図
【図２】図１の照明器具における反射板の特性を説明する一部破断側面図
【図３】図１の照明器具における反射板の左側面図
【図４】図１の照明器具における各部品の寸法を説明する垂直断面図
【図５】図１の照明器具の組立手順を説明する垂直断面図
【図６】図１の照明器具における反射板の作用を説明する垂直断面図
【図７】従来の照明器具の一部破断側面図
【発明を実施するための形態】
【００１１】
以下、本発明に係る一実施形態の照明器具について図面を参照して説明する。
図１に示すように、本発明に係る一実施形態の照明器具１０は、ソケット１２を有する器具本体１１と、器具本体１１に取り付けられる反射板支持部材１３と、ソケット１２が挿入されるソケット受１５を一体に有する反射板１４と、ＬＥＤ電球１６とを備えて不図示の天井面に有する取付穴に埋設されるダウンライトである。
【００１２】
器具本体１１は、肉厚の薄い金属製板部材をプレス成形することにより下方を開口させた半球形状に形成されており、天板１７の中央部にねじ孔１８を有する。ねじ孔１８には反射板支持部材１３を介してねじ１９がねじ込まれる。ねじ１９により反射板支持部材１３が器具本体１１に取り付けられる。ソケット１２は、天板１７の外方に配置されている。ソケット１２は電源端子台２０を有する。電源端子台２０には、不図示の電源配線が電気的に接続される。ソケット１２は、ＬＥＤ電球１６をねじ込むための雌ねじ部２１を有し、雌ねじ部２１内にＬＥＤ電球１６に電気的に接続される不図示の一対の端子を有する。
【００１３】
反射板支持部材１３は、肉厚の薄い金属製板部材をプレス成形することにより下方を開口させた器具本体１１に相似する半球形状に形成されており、天板２２の中央部にねじ孔２３を有する。ねじ孔２３にはねじ１９がねじ込まれる。反射板支持部材１３は、下端縁にフランジ２４を有し、このフランジ２４と器具本体１１の下端縁との間に円環形状であって化粧用の枠２５が挿入されている。
【００１４】
反射板１４は、肉厚の薄い金属製板部材をプレス成形することにより下方を開口させた略半球形状に形成されており、上方側の側部に、ソケット１２が挿入されるソケット受１５がブラケット２６を介して一体に形成されている。ソケット受１５には、口金挿通孔２７が形成されている。
反射板１４は、そのソケット受１５が器具本体１１に有するソケット１２に外挿された際に、ソケット１２を回動中心として器具本体１１に対して回動可能である。そして、反射板１４は、器具本体１１に対する傾斜角度が設定された後に、ＬＥＤ電球１６がソケット１２にねじ込まれることにより、ＬＥＤ電球１６のねじ込みに伴って、器具本体１１に対する所定の傾斜位置に固定される。
【００１５】
反射板１４は、その内面が複数段に形成されており、上段側に、ＬＥＤ電球１６からの光を下方へ反射させるための第１反射面２８と、第１反射面２８の下方に配置されてＬＥＤ電球１６からの光を下方へ反射させるための第２反射面２９とが形成されており、下段側に、第２反射面２９の下方に配置されてＬＥＤ電球１６からの光をＬＥＤ電球１６の背面側に反射する第３反射面３０が形成された指向性反射板である。このとき、第１反射面２８と第２反射面２９とはＬＥＤ電球１６側を凹とする放物線形状に形成されており、第３反射面３０はＬＥＤ電球１６側を凹とする曲面に形成されている。
【００１６】
ＬＥＤ電球１６は、透明なカバー３１を有し、カバー３１の内部にＬＥＤチップを装備する。ＬＥＤ電球１６は口金３２に雄ねじ部３３を有する。ＬＥＤ電球１６はソケット受１５に予め接合されたリングパッキン３４を介してソケット１２にねじ込まれる。
【００１７】
図２に示すように、反射板１４は、ＬＥＤ電球１６の光中心を通る線Ａに対してＬＥＤ電球１６の光軸方向前方の網線部分Ｂが主として反射機能を有する。これとは異なり、反射板１４は、ＬＥＤ電球１６の光中心を通る線Ａに対してＬＥＤ電球１６の光軸方向後方の部分Ｃは反射機能を有さない。
図３に示すように、反射板１４は、ソケット受１５が円筒形状に形成されており、ソケット受１５は、ブラケット２６によりＬＥＤ電球１６の横挿し角度を設定している。
【００１８】
次に、照明器具１０を構成する各部品の要部における寸法について説明する。
図４に示すように、器具本体１１に有するソケット１２は外径寸法φＤを有する。反射板１４に有するソケット受１５はソケット１２の外径寸法φＤよりもわずかに大きい内径寸法φＥを有する。ソケット受１５の口金挿通孔２７は内径寸法φＦを有し、リングパッキン３４は口金挿通孔２７の内径寸法φＦと同等の内径寸法φＧを有し、ＬＥＤ電球１６の口金３２は口金挿通孔２７の内径寸法φＦおよびリングパッキン３４の内径寸法φＧよりも小さい外径寸法φＨを有する。
【００１９】
次に、照明器具１０の組立手順について説明する。
図５に示すように、反射板支持部材１３の天板２２のねじ孔２３を通じて器具本体１１の天板１７のねじ孔１８にねじ１９がねじ込まれることにより反射板支持部材１３が器具本体１１に取り付けられた後に、反射板１４に有するソケット受１５を器具本体１１のソケット１２に外挿させてから、リングパッキン３４を介してＬＥＤ電球１６の口金３２に有する雄ねじ部３３が、ソケット１２に有する雌ねじ部２１にねじ込まれることにより、ＬＥＤ電球１６がソケット１２に取り付けられる。
【００２０】
図６に示すように、反射板１４は、組み立てに際し、そのソケット受１５が器具本体１１に有するソケット１２に外挿された際に、ＬＥＤ電球１６のランプ軸線αに対する回動許容角度βの範囲で器具本体１１に対して回動され、器具本体１１に対する傾斜角度が設定された後に、ＬＥＤ電球１６がソケット１２にねじ込まれることにより、ＬＥＤ電球１６のねじ込みに伴って、器具本体１１に対する所定の傾斜位置に固定されることになる。
【００２１】
次に、照明器具１０の光学的な特性について説明する。
図１に戻り、給電によりＬＥＤ電球１６が発光される。カバー３１を通じてＬＥＤ電球１６から反射板１４の上段側における第１反射面２８に向かった光は、第１反射面２８により下方の床面に向けて反射される。カバー３１を通じてＬＥＤ電球１６から反射板１４の上段側における第２反射面２９に向かった光は、第２反射面２９により下方の床面に向けて反射される。カバー３１を通じてＬＥＤ電球１６から反射板１４の下段側における第３反射面３０に向かった光は、第３反射面３０によりＬＥＤ電球１６の背面側、すなわちソケット１２側に向けて反射される。
【００２２】
以上、説明した本発明に係る一実施形態の照明器具１０は、反射板１４の第１反射面２８と第２反射面２９とによりＬＥＤ電球１６からの光が下方へ反射され、反射板１４の第３反射面３０によりＬＥＤ電球１６からの光がＬＥＤ電球１６の背面側に反射される。そのため、ＬＥＤ電球１６からの光を照射制御できる。
【００２３】
また、本発明に係る一実施形態の照明器具１０は、ＬＥＤ電球１６に透明なカバー３１が取り付けられていても、カバー３１による光束の低下を少なくでき、照射制御できる。
【００２４】
また、本発明に係る一実施形態の照明器具１０は、反射板１４の組み立てに際し、ソケット受１５が器具本体１１に有するソケット１２に外挿された際に、ＬＥＤ電球１６のランプ軸線αに対する回動許容角度βの範囲で器具本体１１に対して回動されることにより、器具本体１１に対する任意の位置に固定できるために、さらに高度に照射制御できる。
【００２５】
なお、本発明の照明器具は、前述した実施形態に限定されるものでなく、適宜な変形や改良等が可能である。
【符号の説明】
【００２６】
１０  照明器具
１１  器具本体
１４  反射板
１６  ＬＥＤ電球（光源）
３１  カバー
【図１】
2012028124.tif 000003
【図２】
2012028124.tif 000004
【図３】
2012028124.tif 000005
【図４】
2012028124.tif 000006
【図５】
2012028124.tif 000007
【図６】
2012028124.tif 000008
【図７】
2012028124.tif 000009